(57)【要約】コイル製品用スペーサであって、本スペーサは実質的に平坦で好ましくは円盤形状の本体を有し、積み重ねられたコイル間に挿入されるパッドとしての役割を果たす。本スペーサは少なくとも１つのスロットを含み、このスロットは放射状に、外側エッジから、または外側エッジの近くからスペーサの中央までのある距離にわたって伸びている。
2004521833.tif 000002
【特許請求の範囲】
【請求項１】
実質的に平坦で好ましくは円盤形状の本体を有し、積み重ねられたコイル間に挿入されるパッドとしての役割を果たすコイル製品用スペーサにおいて、該スペーサは少なくとも１つのスロットを含み、該スロットは放射状に、外側エッジから、または該外側エッジの近くから前記スペーサの中央までのある距離にわたって伸びていることを特徴とするコイル製品用スペーサ。
【請求項２】
請求項１に記載のスペーサにおいて、前記スロットはスペーサ本体のうち、少なくとも１つの固定バンドおよび同様のコイル固定手段と前記スペーサとが互いに隣接している領域に、実質的に配設されていることを特徴とするスペーサ。
【請求項３】
請求項１に記載のスペーサにおいて、該スペーサは少なくとも２つのスロットを含み、該スロットは実質的にスペーサに直径状に配設されていることを特徴とするスペーサ。
【請求項４】
請求項１に記載のスペーサにおいて、該スペーサは少なくとも４つのスロットを含み、該スロットは前記スペーサの円周に実質的に等間隔に配列されていることを特徴とするスペーサ。
【請求項５】
請求項１に記載のスペーサにおいて、前記コイル製品は管製品であることを特徴とするスペーサ。
【請求項６】
請求項１に記載のスペーサにおいて、該スペーサはボール紙で作られていることを特徴とするスペーサ。
【請求項７】
請求項１に記載のスペーサにおいて、該スペーサは少なくとも１つのスロットを含み、該スロットは放射状に、前記スペーサの外側エッジから一定の距離だけ離れた所から該スペーサの中央までのある距離にわたって伸びていることを特徴とするコイル製品用スペーサ。
【発明の詳細な説明】
【発明の属する分野】
【０００１】
本発明はコイル製品、とりわけコイル管製品用のスペーサに関するものであり、本スペーサは実質的に平坦で好ましくは円盤形状の本体を有し、積み重ねられたコイル間に挿入されるパッドとしての役割を果たす。
【発明の背景】
【０００２】
コイル製品における積み重ねられたコイル間にスペーサを挿入して、特に製品の輸送中または貯蔵中に製品を保護することが知られている。こうしたスペーサは輸送されるコイル間のパッドとして配備されるものである。スペーサは一般的には円盤形状の製品であり、例えば段ボールなどのボール紙で作られている。この種のスペーサは積み重ねられたコイル製品、例えば積み重ねられたコイル銅管にとって非常に有用である。各コイルが少なくとも１つのバンドに結び付けられることにより、コイルのループが順番通りに配列されることとなるからである。コイル製品を解く前には、バンドを切断し、好ましくは除去しなければならない。これはコイル製品をいわゆるイナー・エンド・ペイオフ法（ID payoff）によって解く時に必要である。しかし銅管コイルは非常に重量があり、バンドを除去することは非常に困難である。そこで公知のスペーサを用いた場合は、極めて大きな力を用いてコイルを持ち上げるか、あるいは、非常に鋭利なエッジを有するバンドをコイルの下から引き抜く必要がある。いずれの方法を用いても、例えば非常に脆弱な、焼なましされた壁の薄い銅管コイルなどの製品に対しては、損傷を与える可能性がある。バンドをコイルの下から引き抜くと、レベルワウンド管の下層にあるバンドも凹むこととなりかねない。コイルを持ち上げると、管の各部もぺちゃんこになってしまいかねない。
【０００３】
本発明は、従来技術の欠点を回避可能なコイル製品用スペーサを実現することを目的とする。本発明はまた、レベルワウンドコイル管のイナー・エンド・ペイオフ法に、より適したスペーサを実現することも目的とする。本発明はさらに、レベルワウンドコイルの輸送に適していて、コイルを損傷させることなく、あるいはコイルを吊り上げることなく、コイルを包含したバンドを輸送中に除去可能なスペーサを提供することも目的とする。最後に、本発明は、ペイオフ中に管に当たることのないスペーサを提供することを第４の目的とする。
【発明の概要】
【０００４】
本発明は特許請求の範囲の記載事項を特徴とする。本発明によるスペーサはとりわけ、少なくとも１つのスロットを含み、このスロットが放射状に、外側エッジからスペーサの中央までのある距離にわたって伸びていることを特徴とする。本発明の一形態によれば、上記少なくとも１つのスロットは、スペーサ本体のうち、少なくとも１つの固定バンドおよび同様のコイル固定手段とスペーサとが互いに隣接している領域に、実質的に配設されている。スロットは、スペーサの外径沿いに開口していても閉じていてもよい。
【０００５】
本発明の他の一形態によれば、スペーサは少なくとも２つのスロットを含み、これらのスロットは好ましくは実質的にスペーサに直径状に配設されている。本発明の第３の形態によれば、スペーサは少なくとも４つのスロットを含み、これらスロットはスペーサの円周に好ましくは等間隔に配列されている。
【０００６】
スペーサにおけるスロットによれば、スロットがバンドの直下に配置されているため、作業者は、簡単にバンドを切断し、それらバンドをコイルの下から容易に引き抜くことが可能となる。これは、コイル製品を損傷させることなく、あるいは製品コイルを吊り上げることなく実行可能である。スペーサの形状は非常に有益なものであり、スペーサは単一の部材から製作可能である。また、本発明によるスペーサによれば、コイル製品に対して非常に良好な保護を与えることができる。
【０００７】
以下、本発明を、添付図面を参照し、実施例を用いて、より詳細に説明する。
【好ましい実施例の詳細な説明】
【０００８】
各図面、とりわけ図１および図３に示すように、コイル１は鉛直方向に上下に積み重ねられていて、コイル積重体は全体としてパレット２上にあり、このパレットによってコイル積重体を移送可能である。コイル製品は、一般的には管製品であるが、ストリップ状製品などの他種の製品であってもよい。コイル１は、コイルを包含する少なくとも１つのバンド３に結合されている。
【０００９】
本発明はコイル製品用スペーサ４に関するものであり、このスペーサは実質的に平坦で、好ましくは円盤形状の本体を有し、積み重ねられたコイル１間に挿入されるパッドとしての役割を果たす。上記スペーサは少なくとも１つのスロット５を含み、このスロットは放射状に、図２に示すように外側エッジ６からスペーサの中央までのある距離にわたって伸びているか、あるいは図４に示すように外側エッジ６から一定の距離だけ離れた所からスペーサの中央までのある距離にわたって伸びている。
【００１０】
スロット５はスペーサ本体のうち、少なくとも１つの固定バンド３および同様のコイル固定手段とスペーサ４とが互いに隣接している領域に、実質的に配設されている。スロット５は適切な数だけスペーサに形成してよい。本発明の典型的な実施例では、スペーサ４は少なくとも２つのスロット５を含み、これらのスロットは好ましくは実質的にスペーサに直径状に配設されている。図２または図４に示す好ましい実施例では、スペーサ４は４つのスロット５を含み、これらスロットはスペーサの円周に好ましくは等間隔に配列されている。
【００１１】
スペーサは典型的には、壁の薄い銅管などのコイル管製品に非常に適している。スペーサは適切なあらゆる材料から作成してよい。好ましい材料の１つは段ボールなどのボール紙である。スペーサの形状は、スペーサの材料としてボール紙を使用すれば、容易に切削して整えることが可能である。
【００１２】
外側エッジ６から、または外側エッジ６の近くからスペーサ本体の中央までの、スロット５が伸びている距離は、コイル１の寸法に応じて異なる。スロット５の幅はバンド３の幅に応じて異なる。
【図面の簡単な説明】
【００１３】
【図１】パレット上に支持されていて、個々のコイルがスペーサによって間隔をおいているコイルの積重体の斜視全体図である。
【図２】本発明によるスペーサの平面図である。
【図３】パレット上に支持されていて、個々のコイルがスペーサによって間隔をおいているコイルの積重体の他の実施例の斜視全体図である。
【図４】本発明によるスペーサの他の実施例の平面図である。
【図１】
2004521833.tif 000003
【図２】
2004521833.tif 000004
【図３】
2004521833.tif 000005
【図４】
2004521833.tif 000006
【国際公開パンフレット】
2004521833.tif 000007
2004521833.tif 000008
2004521833.tif 000009
2004521833.tif 000010
2004521833.tif 000011
2004521833.tif 000012
2004521833.tif 000013
2004521833.tif 000014
【国際調査報告】
2004521833.tif 000015
2004521833.tif 000016